(57)【要約】【課題】改善された、寝具及び通信システムを提供する。【解決手段】寝具は、振動部と、制御部とを備える。制御部は、振動部を駆動して、ユーザが入眠し易い振動数で本体を振動させる。【選択図】図３
2019051065.tif 000002
【特許請求の範囲】
【請求項１】
振動部と、
前記振動部を駆動して、ユーザが入眠し易い振動数で本体を振動させる制御部と、
を備える寝具。
【請求項２】
前記制御部は、前記ユーザが頭部を前記寝具に載せてから入眠するまでの時間に基づいて、前記振動数を決定する、請求項１に記載の寝具。
【請求項３】
前記制御部は、前記時間が極小値をとるときの前記寝具の振動数を、前記振動数として決定する、請求項２に記載の寝具。
【請求項４】
前記制御部は、周囲温度に応じて、前記振動数を決定する、請求項２又は３に記載の寝具。
【請求項５】
前記制御部は、定期的に、前記振動数の決定処理を実行する、請求項２から４の何れか一項に記載の寝具。
【請求項６】
外部の機器と通信する通信部をさらに備え、
前記制御部は、前記ユーザの識別情報とともに決定した前記振動数を、前記通信部によって所定のサーバに送信する、請求項２から５の何れか一項に記載の寝具。
【請求項７】
前記寝具の動きを検出する検出部をさらに備え、
前記制御部は、前記検出部の検出結果に基づいて、前記ユーザの頭部が前記寝具に載せられたと判定したとき、前記振動部によって前記寝具を振動させる、請求項１から６の何れか一項に記載の寝具。
【請求項８】
前記制御部は、前記検出部の検出結果に基づいて前記ユーザが入眠したと判定した時刻から、前記頭部が前記寝具に載せられたと判定した時刻を減算することで、前記時間を算出する、請求項７に記載の寝具。
【請求項９】
請求項１に記載の寝具と、
前記寝具とネットワークを介して接続され、前記ユーザの識別情報とともに前記寝具が決定した前記振動数を受信し、受信した前記識別情報と対応付けて受信した前記振動数を格納するサーバと、
を備える通信システム。
【発明の詳細な説明】
【技術分野】
【０００１】
本開示は、寝具及び通信システムに関する。
【背景技術】
【０００２】
従来、ユーザの頭部を振動させて、入眠を促す枕が知られている。例えば、特許文献１には、ユーザの頭部を所定の振動パターンで振動させて、入眠を促す枕が開示されている。
【先行技術文献】
【特許文献】
【０００３】
【特許文献１】特開２００６−２８９０５４号公報
【発明の概要】
【発明が解決しようとする課題】
【０００４】
しかしながら、従来の枕には、改善の余地がある。例えば、ユーザが入眠し易い振動数は、ユーザによって異なる場合がある。
【０００５】
本開示の目的は、改善された寝具及び通信システムを提供することにある。
【課題を解決するための手段】
【０００６】
寝具の一態様は、振動部と、制御部とを備える。前記制御部は、前記振動部を駆動して、ユーザが入眠し易い振動数で本体を振動させる。
【０００７】
通信システムの一態様は、上記寝具と、サーバとを備える。前記サーバは、前記寝具とネットワークを介して接続される。前記サーバは、前記ユーザの識別情報とともに前記寝具が決定した前記振動数を受信し、受信した前記識別情報と対応付けて受信した前記振動数を格納する。
【発明の効果】
【０００８】
本開示によれば、改善された寝具及び通信システムを提供することができる。
【図面の簡単な説明】
【０００９】
【図１】第１実施形態に係る枕の概略的な外観図である。
【図２】図１に示すＩ−Ｉ線に沿った枕の断面図である。
【図３】第１実施形態に係る枕の機能ブロック図である。
【図４】入眠時間と枕の振動数との関係の一例を示す図である。
【図５】第１実施形態に係る枕の最適振動数の決定処理の一例を示すフローチャートである。
【図６】第１実施形態に係る枕の睡眠誘導処理の一例を示すフローチャートである。
【図７】第２実施形態に係る通信システムの概略図である。
【図８】第２実施形態に係る通信システムの制御手順の一例を示すシーケンス図である。
【発明を実施するための形態】
【００１０】
以下、本開示に係る寝具の実施形態について、図面を参照して説明する。本明細書では、寝具は、枕であるとして説明する。しかしながら、本開示の寝具は、枕に限定されない。本開示の寝具は、ユーザの睡眠時にユーザの頭部を支持するものであればよく、例えば、クッション、ネックピロー又は座布団等であってもよい。
【００１１】
（第１実施形態）
図１は、第１実施形態に係る枕１の概略的な外観図である。図２は、図１に示すＩ−Ｉ線に沿った枕１の断面図である。なお、本明細書に記載の枕１について、上側は、図２の断面図の上側を意味し、下側は、その反対側を意味する。また、本明細書に記載の枕１について、頭頂側は、図２の断面図の左側を意味し、首側は、図２の断面図の右側を意味する。
【００１２】
ユーザは、枕１に頭部を載せて寝ることができる。枕１は、例えばユーザの睡眠時、ユーザの頭部を支持する。図１に示す載置面Ａは、ユーザが頭部を載せる面である。載置面Ａは、例えば枕１の上側の一部の領域である。枕１は、枕１にユーザの頭部が載せられたと判定すると、例えば１分当たり数回程度の振動数で、振動する。枕１が振動することによって、ユーザの頭部も振動する。頭部が振動することで、ユーザは、リラックス状態になり、入眠し易い状態になる。
【００１３】
枕１は、例えば、図１に示すように、２つの楕円形の底面を有する円柱形状であってよい。ただし、枕１の形状は、円柱形状に限定されない。例えば、枕１の形状は、長方体形状、Ｕ字形状又はドーナツ形状等であってもよい。
【００１４】
枕１は、図２に示すように、振動部１０と、検出部１１と、制御ユニット２０と、エアバッグ３１，３２，３３，３４とを備える。振動部１０、検出部１１、制御ユニット２０及びエアバッグ３１〜３４は、外装部１５で覆われる。枕１が備えるエアバッグの数は、エアバッグ３１〜３４の４つに限定されない。枕１が備えるエアバッグの数は、３つ以下であってもよいし、５つ以上であってもよい。以下、エアバッグ３１〜３４を特に区別しない場合、単に「エアバッグ３０」と記す。
【００１５】
振動部１０は、図２に示すように、枕１の中央付近に配置される。振動部１０は、例えば、エアバッグ３１〜３４に接触する。振動部１０は、制御ユニット２０からの電気信号に基づいて、エアバッグ３１〜３４を振動させる。振動部１０は、エアバッグ３１〜３４を振動させることによって、枕１を振動させる。なお、振動部１０は、枕１の内の任意の箇所に配置されてよい。この場合、振動部１０は、エアバッグ３１〜３４の少なくとも１つに接触していればよい。
【００１６】
振動部１０は、例えば、エアポンプを含んで構成されてよい。この場合、振動部１０は、制御ユニット２０からの電気信号に基づいて、エアポンプによりエアバッグ３０内の空気量を変動させることによって、エアバッグ３０を振動させる。又は、振動部１０は、電磁アクチュエータを含んで構成されてよい。この場合、振動部１０は、制御ユニット２０からの電気信号に基づいて、電磁アクチュエータを駆動させることによって、エアバッグ３０を振動させる。
【００１７】
検出部１１は、例えば、外装部１５内に配置される。検出部１１は、載置面Ａに接触させてもよいし、載置面Ａの近くに配置されてもよい。検出部１１は、例えば、モーションセンサを含んで構成される。モーションセンサは、例えば、加速度センサ及びジャイロセンサ等を組み合わせて構成される。検出部１１は、モーションセンサによって、枕１の動きを検出する。検出部１１は、検出した枕１の動きを、後述の制御部１４に出力する。
【００１８】
検出部１１は、重量センサを含んで構成されてもよい。この場合、検出部１１は、重量センサによって枕１にかかる重量を検出する。検出部１１は、検出した重量を、後述の制御部１４に出力する。
【００１９】
検出部１１は、近接センサを含んで構成されてもよい。この場合、検出部１１は、近接センサによって、枕１に近接する物体の存在を非接触で検出する。検出部１１は、検出した枕１に近接する物体の存在を、後述の制御部１４に通知する。
【００２０】
検出部１１は、温度センサを含んで構成されてもよい。この場合、検出部１１は、温度センサによって枕１の温度を検出する。検出部１１は、検出した枕１の温度を、後述の制御部１４に出力する。
【００２１】
制御ユニット２０は、例えば、枕１の下面に配置される。ただし、制御ユニット２０は、枕１の任意の箇所に配置されてよい。例えば、制御ユニット２０は、枕１の外部に配置されてもよい。制御ユニット２０は、後述の制御部１４等を含む。
【００２２】
制御ユニット２０は、検出部１１の出力結果に基づいて、ユーザが枕１に頭部を載せたか否か判定する。制御ユニット２０による、この判定方法の詳細については後述する。制御ユニット２０は、ユーザが枕１に頭を載せたと判定すると、振動部１０を駆動して、枕１（本体）を振動させる。具体的には、制御ユニット２０は、振動部１０に電気信号を出力して、枕１（本体）を振動させる。制御ユニット２０の詳細な構成については後述する。
【００２３】
枕１の内部は、エアバッグ３１〜３４によって充填される。エアバッグ３１は、振動部１０の上側に位置する。エアバッグ３２は、振動部１０の下側に位置する。エアバッグ３３は、振動部１０の頭頂側に位置する。エアバッグ３４は、振動部１０の首側に位置する。
【００２４】
エアバッグ３０は、例えば、可撓性及び気密性を有する材料で構成される。エアバッグ３０は、例えば、合成樹脂材料で構成されてよい。エアバッグ３０は、その内部に空気が注入されることによって、膨張して所定の形状になる。
【００２５】
なお、枕１の内部は、エアバッグ３０の代わりに、他の部材によって充填されてもよい。例えば、枕１の内部は、コイル部材、パイプ、綿又は発泡ビーズ等によって充填されてもよい。
【００２６】
次に、枕１の機能の詳細について説明する。図３は、第１実施形態に係る枕１の機能ブロック図である。
【００２７】
枕１は、振動部１０と、検出部１１とを備える。枕１は、さらに、制御ユニット２０として、通信部１２と、記憶部１３と、制御部１４とを備える。
【００２８】
振動部１０は、制御部１４からの電気信号に基づいて、エアバッグ３０を振動させる。振動部１０は、エアバッグ３０を振動させることによって、枕１を振動させる。枕１の振動は、枕１に頭部を載せたユーザに伝達される。
【００２９】
検出部１１は、モーションセンサによって枕１の動きを検出する。検出部１１は、検出した枕１の動きを、制御部１４に出力する。
【００３０】
通信部１２は、ネットワークを介して、外部の機器に接続される。通信部１２は、例えばBluetooth（登録商標）、赤外線、ＮＦＣ（Near Field Communication）、無線ＬＡＮ（Local Area Network）、有線ＬＡＮ、ＷＡＮ（Wide Area Network）、インターネット若しくはその他任意の通信媒体又はこれらの任意の組合せにより、通信することができる。
【００３１】
記憶部１３は、半導体メモリ又は磁気メモリ等で構成されてよい。記憶部１３は、各種情報及び制御部１４を動作させるためのプログラム等を記憶する。記憶部１３は、ワークメモリとしても機能してもよい。記憶部１３は、例えば、後述の処理によって決定された枕１の最適振動数、及び、ユーザの識別情報を記憶する。
【００３２】
制御部１４は、種々の機能を実行するための制御及び処理能力を提供するために、少なくとも１つのプロセッサ１４Ａを含む。少なくとも１つのプロセッサ１４Ａは、単一の集積回路（ＩＣ）として、又は、複数の通信可能に接続された集積回路ＩＣ及びディスクリート回路（discrete circuits）として実現されてもよい。少なくとも１つのプロセッサ１４Ａは、種々の既知の技術に従って実現されることが可能である。
【００３３】
ある実施形態において、プロセッサ１４Ａは、一以上のデータ計算手続及び処理を実行するために構成された、一以上の回路又はユニットを含む。例えば、プロセッサ１４Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００３４】
制御部１４は、振動部１０と、検出部１１と、通信部１２と、記憶部１３とに接続され、これらの各機能部をはじめとして、枕１の全体を制御及び管理する。制御部１４は、記憶部１３に記憶されているプログラムを取得する。制御部１４は、取得したプログラムを実行することにより、枕１の各部に係る種々の機能を実現する。
【００３５】
制御部１４は、検出部１１の出力結果（検出結果）に基づいて、ユーザの頭部が枕１に載せられたか否か判定する。具体的には、例えば検出部１１がモーションセンサを含んで構成される場合、制御部１４は、検出部１１のモーションセンサが枕１の動きを検出したとき、ユーザの頭部が枕１に載せられたと判定する。例えば検出部１１が重量センサを含んで構成される場合、制御部１４は、重量センサが検出した重量が所定量を超えるとき、ユーザの頭部が枕１に載せられたと判定してもよい。例えば検出部１１が近接センサを含んで構成される場合、制御部１４は、近接センサが枕１に近接する物体の存在を検出したとき、ユーザの頭部が枕１に載せられたと判定してもよい。例えば検出部１１が温度センサを含んで構成される場合、制御部１４は、温度センサが検出した温度が第１閾値を超えたとき、ユーザの頭部が枕１に載せられたと判定してもよい。第１閾値は、例えば、人体（頭部）が枕１に接触していることを検出可能な温度であってよい。
【００３６】
制御部１４は、ユーザの頭部が枕１に載せられたと判定すると、振動部１０を駆動して、枕１（本体）を振動させる。具体的には、制御部１４は、振動部１０に電気信号を出力して、枕１（本体）を振動させる。
【００３７】
制御部１４は、枕１を振動させている間、検出部１１の出力結果に基づいて、ユーザが入眠したか否か判定する。具体的には、制御部１４は、所定時間以上、検出部１１のモーションセンサが枕１の動きを検出しないとき、ユーザが入眠したと判定する。制御部１４は、検出部１１が温度センサを含んで構成される場合、当該温度センサが検出した温度が第２閾値を下回るとき、ユーザが入眠したと判定してもよい。第２閾値は、例えば、上述の第１閾値よりも低い温度であってよい。一般的に、人間は入眠するときに体温が下がるため、このように温度によって入眠を判定することができる。
【００３８】
制御部１４は、ユーザが入眠したと判定すると、振動部１０を停止させて、枕１の振動を停止させる。制御部１４は、ユーザが入眠したと判定した後、直ぐに枕１の振動を停止させてもよいし、所定期間経過してから枕１の振動を停止させてもよい。所定期間は、ユーザの睡眠時間を想定して設定されてもよい。この場合、所定期間は、例えば７時間程度であってよい。又は、所定期間は、最初のノンレム睡眠の時間を想定して設定されてもよい。この場合、所定期間は、例えば、最初のノンレム睡眠が開始される直前までの時間であってもよいし、最初のノンレム睡眠が終了するまでの時間であってもよい。
【００３９】
ここで、制御部１４は、ユーザに応じて、ユーザが入眠し易い枕１の振動数（以下、「最適振動数」ともいう）を決定することができる。例えば、制御部１４は、各ユーザに応じて最適振動数を決定できる。具体的には、制御部１４は、ユーザが頭部を枕１に載せてから入眠するまでの時間（以下、「入眠時間」という）に基づいて、枕１の最適振動数を決定する。以下、入眠時間に基づく最適振動数の決定処理について説明する。ここで、ユーザが入眠し易い枕１の振動数として、例えば副交感神経を刺激してユーザを眠り易くする振動数等がある。このユーザが入眠し易い枕１の振動数として、例えば、０．５Ｈｚ、１．０Ｈｚ、２．０Ｈｚ、１０Ｈｚ等の様々な振動数を用いることができる。
【００４０】
図４は、入眠時間と枕１の振動数との関係の一例を示す図である。図４において、横軸は枕１の振動数を示し、縦軸はユーザの入眠時間を示す。
【００４１】
図４に実線で示すように、入眠時間は、所定の振動数において極小値を有する。図４では、枕１の振動数がｆｂ［Ｈｚ］であるとき、入眠時間は、極小値のＴｍ［ｍｉｎ］になる。ユーザが頭部を枕１に載せたとき、入眠時間が極小値をとるときの振動数で枕１を振動させれば、ユーザは、最も入眠し易い状態になり得る。そこで、制御部１４は、ユーザの入眠時間が極小値をとるときの振動数を、最適振動数として決定する。図４では、制御部１４は、ｆｂ［Ｈｚ］を、最適振動数として決定する。
【００４２】
ここで、図４に示すような入眠時間と枕１の振動数との関係は、ユーザに応じて異なる場合がある。つまり、入眠時間が極小値をとるときの枕１の振動数は、ユーザに応じて異なる場合がある。
【００４３】
最適振動数の決定方法について、さらに説明する。制御部１４は、所定日数の間、所定のアルゴリズムによって振動部１０により振動させる枕１の振動数を日ごとに変化させながら、各日ごとのユーザの入眠時間を測定する。制御部１４は、測定した入眠時間が極小値をとるときの枕１の振動数を、最適振動数として決定する。なお、制御部１４は、ユーザが入眠したと判定した時刻から、ユーザの頭部が枕１に載せられたと判定した時刻を減算することで、入眠時間を算出（測定）することができる。
【００４４】
上記の所定のアルゴリズムとして、制御部１４は、例えば、山登り法等の局所探索法を実行してもよい。局所探索法を実行する場合、制御部１４は、枕１の振動数の初期値として、電車の振動を疑似的に再現した振動数を用いてもよい。又は、制御部１４は、枕１の振動数の初期値として、母親が子供を寝かすために子供を揺らすときの振動を疑似的に表現した振動数を用いてもよい。
【００４５】
制御部１４は、入眠時間が極小値付近の値をとるときの枕１の振動数を、最適振動数として決定してもよい。つまり、入眠時間に基づいて決定される最適振動数は、入眠時間が極小値付近の値をとるときの枕１の振動数を含んでもよい。図４では、極小値付近の範囲を、Δで示している。つまり、制御部１４は、範囲Δ内の振動数を、最適振動数として決定してもよい。極小値付近のΔの範囲は、例えばユーザの入眠時間等に応じて定められてよい。
【００４６】
なお、同一ユーザであっても、周囲温度に依存して、図４に示すような、入眠時間と枕１の振動数との関係が変化する場合ある。例えば、同一ユーザであっても、夏場のように温度が比較的高くなる場合と、冬場のように温度が比較的低くなる場合とで、入眠時間が極小値をとるときの枕１の振動数が異なる場合がある。
【００４７】
そこで、制御部１４は、周囲温度ごとに、最適振動数を決定してもよい。例えば、制御部１４は、周囲温度が所定温度よりも高い範囲にある場合と、周囲温度が所定温度よりも低い範囲にある場合とに分けて、最適振動数を決定してもよい。周囲温度は、例えば、枕１が備える温度センサによって取得された室内の温度であってよい。所定温度は、例えば、２７℃であってよい。所定温度は、例えば枕１の使用環境（例えば室内の平均温度）等に応じて、適宜、制御部１４により定められてよい。例えば、制御部１４は、所定の温度間隔ごとに（例えば５℃ごとに）、最適振動数を決定してもよい。
【００４８】
また、制御部１４は、定期的に、最適振動数の決定処理を実行してよい。例えば、制御部１４は、数か月毎に、最適振動数の決定処理を実行してもよい。
【００４９】
また、制御部１４は、例えば通信部１２によって外部から、枕１の最適振動数の決定処理の実行指示を受信した場合、最適振動数を決定してもよい。
【００５０】
また、制御部１４は、最適振動数を決定した後、ユーザの識別情報とともに、決定した最適振動数を、通信部１２によって所定のサーバに送信してもよい。この処理の詳細は、後述する。
【００５１】
図５は、第１実施形態に係る枕１の最適振動数の決定処理の一例を示すフローチャートである。図５に示すフローは、例えば、定期的に、開始されてよい。
【００５２】
制御部１４は、ユーザの頭部が枕１に載せられたか否か判定する（ステップＳ１０）。制御部１４は、ユーザの頭部が枕１に載せられたと判定したとき（ステップＳ１０：Ｙｅｓ）、ステップＳ１１の処理に進む。一方、制御部１４は、ユーザの頭部が枕１に載せられたと判定しないとき（ステップＳ１０：Ｎｏ）、再びステップＳ１０の処理を行う。
【００５３】
ステップＳ１１の処理では、制御部１４は、振動部１０を駆動して、所定の振動数で枕１を振動させる。所定の振動数は、例えば所定のアルゴリズムによって決定された振動数であってよく、日ごとにそれぞれ異なる振動数であってよい。
【００５４】
ステップＳ１２の処理では、制御部１４は、ユーザが入眠したか否か判定する。制御部１４は、ユーザが入眠したと判定したとき（ステップＳ１２：Ｙｅｓ）、ステップＳ１３の処理に進む。一方、制御部１４は、ユーザが入眠したと判定しないとき（ステップＳ１２：Ｎｏ）、再びステップＳ１２の処理を行う。
【００５５】
ステップＳ１３の処理では、制御部１４は、振動部１０を停止させて、枕１の振動を停止させる。
【００５６】
ステップＳ１４の処理では、制御部１４は、入眠時間を測定する。例えば、制御部１４は、ステップＳ１２の処理でユーザが入眠したと判定した時刻から、ステップＳ１０の処理でユーザの頭部が枕１に載せられたと判定した時刻を減算することで、入眠時間を算出（測定）する。
【００５７】
ステップＳ１５の処理では、制御部１４は、図５に示すフローの処理を開始してから、所定日数が経過したか否か判定する。制御部１４は、所定日数が経過したと判定したとき（ステップＳ１５：Ｙｅｓ）、ステップＳ１６の処理に進む。一方、制御部１４は、所定日数が経過したと判定しないとき（ステップＳ１５：Ｎｏ）、ステップＳ１０からの処理を繰り返し行う。この場合、制御部１４は、ユーザの頭部が枕１から離れたと判定した後に、再びステップＳ１０からの処理を開始する。つまり、制御部１４は、ユーザが一旦覚醒して起き上った後、再び枕１を用いて睡眠を行うときにステップＳ１０からの処理を開始することができる。
【００５８】
ステップＳ１６の処理では、制御部１４は、所定日数の間、所定のアルゴリズムによって振動部１０の振動数を変化させながら測定した入眠時間に基づいて、最適振動数を決定する。
【００５９】
なお、制御部１４は、最適振動数を決定するために必要な量のデータを取得した場合、所定日数が経過する前であっても、ステップＳ１６の処理に進んでもよい。
【００６０】
また、周囲温度ごとに最適振動数を決定する場合、制御部１４は、周囲温度を取得し、取得した周囲温度ごとに、図５に示すフローを実行してもよい。
【００６１】
図６は、第１実施形態に係る枕１の睡眠誘導処理の一例を示すフローチャートである。図６に示すフローは、例えば図５に示すフローにより、最適振動数が決定された場合に実行される。図６に示すフローは、例えば、所定時刻に開始されてよい。所定時刻は、ユーザが床に就く時刻に基づいて設定されてよい。
【００６２】
制御部１４は、ユーザの頭部が枕１に載せられたか否か判定する（ステップＳ２０）。制御部１４は、ユーザの頭部が枕１に載せられたと判定したとき（ステップＳ２０：Ｙｅｓ）、ステップＳ２１の処理に進む。一方、制御部１４は、ユーザの頭部が枕１に載せられたと判定しないとき（ステップＳ２０：Ｎｏ）、再びステップＳ２０の処理を行う。
【００６３】
ステップＳ２１の処理では、制御部１４は、振動部１０を駆動して、最適振動数で枕１を振動させる。
【００６４】
ステップＳ２２の処理では、制御部１４は、ユーザが入眠したか否か判定する。制御部１４は、ユーザが入眠したと判定したとき（ステップＳ２２：Ｙｅｓ）、ステップＳ２３の処理に進む。一方、制御部１４は、ユーザが入眠したと判定しないとき（ステップＳ２２：Ｎｏ）、再びステップＳ２２の処理を行う。
【００６５】
ステップＳ２３の処理では、制御部１４は、振動部１０を停止させて、枕１の振動を停止させる。
【００６６】
なお、周囲温度ごとに最適振動数を決定した場合、制御部１４は、周囲温度を取得し、ステップＳ２１の処理において取得した周囲温度に対応する最適振動数で、枕１を振動させてよい。
【００６７】
ここで、比較例として、固定の振動数で枕１を振動させる例を想定する。上述のように、入眠時間と枕１の振動数との関係は、ユーザに応じて異なる場合がある。そのため、固定の振動数で枕１を振動させても、必ずしもユーザの入眠が促されるとは限らない。また、固定の振動数で枕１を振動させると、一部のユーザの入眠を促すことができても、その他のユーザの入眠を促すことが困難になる場合がある。
【００６８】
これに対して、本実施形態に係る枕１は、ユーザの入眠時間に基づいて、枕１の最適振動数を決定する。このような制御によって、枕１は、ユーザに応じた最適振動数で振動することができる。これにより、本実施形態に係る枕１は、ユーザの入眠をより促すことができる。従って、本実施形態によれば、改善された、枕１が提供され得る。
【００６９】
また、同一のユーザであっても、周囲温度に依存して、入眠時間と枕１の振動数との関係が変化する場合がある。このような場合でも、本実施形態に係る枕１は、周囲温度に応じて、枕１の最適振動数を決定することができる。これにより、本実施形態に係る枕１は、ユーザの入眠時間と枕１の振動数との関係が変化しても、ユーザの入眠を促すことができる。
【００７０】
（第２実施形態）
次に、第２実施形態について説明する。第２実施形態では、第１実施形態に係る枕１を用いた通信システムについて説明する。図７は、第２実施形態に係る通信システム１００の概略図である。
【００７１】
通信システム１００は、枕１と、枕１Ａと、サーバ２とを備える。枕１及び枕１Ａと、サーバ２とは、ネットワーク２００を介して互いに通信可能に接続される。ネットワーク２００は、例えば、インターネットである。ただし、ネットワーク２００は、インターネットに限定されず、適宜のネットワークであってよい。また、ネットワーク２００は、無線、有線又はこれらの組み合わせであってよい。つまり、枕１及び枕１Ａと、サーバ２とは、有線若しくは無線又はこれらの任意の組合せにより構成されたネットワーク２００により接続され情報の送受信が行われてよい。また、本実施形態において、サーバ２及びネットワーク２００は１つに限定されるものではなく、それぞれ２つ以上であってよい。また、通信システム１００が備える枕の数は、枕１及び枕１Ａの２つに限定されるものではなく、３つ以上であってよい。
【００７２】
枕１は、第１実施形態にて説明した機能を有する。すなわち、枕１は、ユーザの入眠時間に基づいて、枕１のユーザに応じた、最適振動数を決定することができる。
【００７３】
以下、枕１は、個人宅において、特定のユーザによって使用されるものとする。枕１は、枕１のユーザに応じた最適振動数を決定すると、ユーザの識別情報とともに最適振動数を、ネットワーク２００を介してサーバ２に送信する。
【００７４】
枕１Ａは、枕１と同様の睡眠導入機能及び通信機能を有する。すなわち、枕１Ａは、図３に示すような、振動部と、検出部と、通信部と、記憶部と、制御部とを備える。枕１Ａは、例えば、宿泊施設又は病院等の公共の場において、任意のユーザによって使用されるものである。以下、枕１Ａは、宿泊施設で不特定のユーザ（宿泊客）によって使用されるものとする。
【００７５】
枕１Ａは、枕１Ａを使用するユーザ（宿泊客）の識別情報を、例えば枕１Ａの通信部を介して外部から、取得する。例えば、宿泊施設のスタッフがコンピュータを操作することによって、当該コンピュータから枕１Ａへ、枕１Ａを使用するユーザ（宿泊客）の識別情報が送信される。枕１Ａは、ユーザの識別情報を取得すると、ユーザの識別情報とともに最適振動数を要求する信号を、ネットワーク２００を介してサーバ２に送信する。その後、サーバ２から枕１Ａに最適振動数が送信される。枕１Ａは、ネットワーク２００を介してサーバ２から最適振動数を取得する。
【００７６】
枕１Ａは、ユーザ（宿泊客）が枕１Ａに頭部を載せたと判定すると、取得した最適振動数で振動する。
【００７７】
サーバ２は、例えば、情報処理装置である。サーバ２は、通信部４０と、記憶部４１と、制御部４３とを備える。
【００７８】
通信部４０は、ネットワーク２００を介して、外部の機器と通信する。通信部１２は、例えばBluetooth（登録商標）、赤外線、ＮＦＣ、無線ＬＡＮ、有線ＬＡＮ、ＷＡＮ、インターネット若しくはその他任意の通信媒体又はこれらの任意の組合せにより、通信することができる。
【００７９】
記憶部４１は、半導体メモリ又は磁気メモリ等で構成されてよい。記憶部４１は、各種情報及び制御部４２を動作させるためのプログラム等を記憶する。記憶部４１は、ワークメモリとしても機能してもよい。記憶部４１は、ユーザの識別情報と対応付けて最適振動数を記憶する。
【００８０】
制御部４２は、種々の機能を実行するための制御及び処理能力を提供するために、少なくとも１つのプロセッサ４２Ａを含む。少なくとも１つのプロセッサ４２Ａは、単一の集積回路（ＩＣ）として、又は、複数の通信可能に接続された集積回路ＩＣ及びディスクリート回路として実現されてもよい。少なくとも１つのプロセッサ４２Ａは、種々の既知の技術に従って実現されることが可能である。
【００８１】
ある実施形態において、プロセッサ４２Ａは、一以上のデータ計算手続及び処理を実行するために構成された、一以上の回路又はユニットを含む。例えば、プロセッサ４２Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００８２】
制御部４２は、通信部４０と、記憶部４１とに接続され、これらの各機能部をはじめとして、サーバ２の全体を制御及び管理する。制御部４２は、記憶部４１に記憶されているプログラムを取得する。制御部４２は、取得したプログラムを実行することにより、サーバ２の各部に係る種々の機能を実現する。
【００８３】
制御部４２は、ネットワーク２００を介して枕１から、枕１のユーザの識別情報とともに最適振動数を、通信部４０によって受信する。制御部４２は、最適振動数等を受信すると、枕１のユーザの識別情報と対応付けて最適振動数を、記憶部４１に格納させる。
【００８４】
制御部４２は、ネットワーク２００を介して枕１Ａから、ユーザ（宿泊客）の識別情報とともに最適振動数を要求する信号を、通信部４０によって受信する。制御部４２は、この要求を受信すると、記憶部４１から、ユーザの識別情報と対応付けられた、最適振動数を取得する。サーバ２は、当該最適振動数を、ネットワーク２００を介して枕１Ａに、通信部４０によって送信する。
【００８５】
図８は、第２実施形態に係る通信システム１００の制御手順の一例を示すシーケンス図である。
【００８６】
枕１は、枕１のユーザに応じた最適振動数を決定する（ステップＳ３０）。枕１は、最適振動数の決定処理の終了後、枕１のユーザの識別情報とともに最適振動数を、ネットワーク２００を介してサーバ２に送信する（ステップＳ３１）。
【００８７】
サーバ２は、ネットワーク２００を介して枕１から、枕１のユーザの識別情報とともに最適振動数を受信する。サーバ２は、枕１のユーザの識別情報と対応付けて最適振動数を、記憶部４１に格納する（ステップＳ３２）。
【００８８】
枕１Ａは、ユーザ（宿泊客）の識別情報とともに、最適振動数を要求する信号を、ネットワーク２００を介してサーバ２に送信する（ステップＳ３３）。
【００８９】
サーバ２は、ネットワーク２００を介して枕１Ａから、ユーザ（宿泊客）の識別情報とともに、最適振動数を要求する信号を受信する。サーバ２は、記憶部４１から、ユーザ（宿泊客）の識別情報と対応付けられた、最適振動数を取得する。サーバ２は、当該最適振動数を、ネットワーク２００を介して枕１Ａに送信する（ステップＳ３４）。
【００９０】
枕１Ａは、ネットワーク２００を介してサーバ２から、最適振動数を受信する（ステップＳ３５）。その後、枕１Ａは、ユーザの頭部が枕１Ａに載せられたと判定すると（ステップＳ３６）、取得した最適振動数で振動する（ステップＳ３７）。
【００９１】
このように、第２実施形態では、サーバ２は、枕１が決定した、枕１のユーザに応じた最適振動数を、枕１のユーザの識別情報に対応付けて格納する。さらに、枕１Ａは、ユーザの識別情報とともに最適振動数を要求する信号をサーバに送信することによって、サーバ２から、当該ユーザに応じた最適振動数を取得する。このような制御によって、例えば、宿泊施設で、普段使用していない枕１Ａを使用する場合でも、枕１Ａは、当該ユーザに応じた最適振動数で振動することができる。これにより、本実施形態に係る通信システム１００は、例えばユーザが外泊して、ユーザが使用する枕が変わった場合でも、ユーザの入眠を促すことができる。このようにして、本実施形態によれば、改善された、通信システム１００が提供され得る。
【００９２】
本開示を完全かつ明瞭に開示するためにいくつかの実施形態に関し説明してきた。しかしながら、添付の請求項は、上記実施形態に限定されるべきものでなく、本明細書に示した基礎的事項の範囲内で当該技術分野の当業者が創作し得る全ての変形例及び代替可能な構成を具現化するように構成されるべきである。また、いくつかの実施形態に示した各要件は、自由に組み合わせが可能である。
【００９３】
例えば、上記第１実施形態では、制御ユニット２０は、枕１の内部に含まれるものとして説明した。しかしながら、制御ユニット２０は、枕１の外部にあってもよい。
【００９４】
例えば、上記第１実施形態及び第２実施形態では、本開示の寝具は、枕であるものとして説明した。しかしながら、本開示の寝具は、枕に限定されない。本開示の寝具は、ユーザの頭部を支持するものであればよく、例えば、クッション、ネックピロー又は座布団等であってもよい。
【符号の説明】
【００９５】
１，１Ａ  枕（寝具）
２  サーバ
１０  振動部
１１  検出部
１２  通信部
１３  記憶部
１４  制御部
１４Ａ  プロセッサ
１５  外装部
２０  制御ユニット
３０，３１，３２，３３，３４  エアバッグ
４０  通信部
４１  記憶部
４２  制御部
４２Ａ  プロセッサ
１００  通信システム
２００  ネットワーク
【図１】
2019051065.tif 000003
【図２】
2019051065.tif 000004
【図３】
2019051065.tif 000005
【図４】
2019051065.tif 000006
【図５】
2019051065.tif 000007
【図６】
2019051065.tif 000008
【図７】
2019051065.tif 000009
【図８】
2019051065.tif 000010